(57)【特許請求の範囲】
【請求項１】
建築物の柱と結合される独立連結構造物において、
前記独立連結構造物は、
函体状の連結構造物ボディ（２１）と、
前記連結構造物ボディ（２１）に連結され、複数の締結用柱連結締結多孔（２３１）が設けられる柱連結パネル部（２３）とを含み、
前記柱連結パネル部（２３）が柱（４０）の柱パネル部（４１）と交差締結されて両側の柱連結締結多孔（２３１）及び柱締結多孔（４１１）に挿入されて締結される柱締結具（２３０）によって、両側の柱連結パネル部（２３）と柱パネル部（４１）とが結合され、
前記連結構造物ボディ（２１）は、
独立連結構造物に打設されるコンクリートモルタルの鉄心をなす複数の鉄筋（２１２）と、
前記複数の鉄筋（２１２）を内部に含んで筒状をなす連結ボディパネル部（２１１）とを含み、
前記連結ボディパネル部（２１１）は、コンクリートモルタルの注入時にコンクリートモルタルが通過するモルタル連結ボディ流路（２１３）を形成することを特徴とする、柱及び梁のつなぎ合わせのための独立連結構造物。
【請求項２】
前記柱連結パネル部（２３）は、
前記柱連結締結多孔（２３１）に挿入される柱締結具（２３０）を組み立てるための作業工具を挿入するための柱連結作業用大孔（２３２）を有することを特徴とする、請求項１に記載の柱及び梁のつなぎ合わせのための独立連結構造物。
【請求項３】
前記独立連結構造物は、
前記連結構造物ボディ（２１）の側方向に突出して所定の長さ及び幅を有する梁連結部（２４）を備え、
連結構造物ボディ（２１）の側方向に備えられた梁連結部（２４）と梁（５０）の梁パネル部（５１）とが連結されて独立連結構造物の側方向に梁（５０）が結合されることを特徴とする、請求項１に記載の柱及び梁のつなぎ合わせのための独立連結構造物。
【請求項４】
前記梁連結部（２４）は、
梁（５０）の梁パネル部（５１）に設けられた梁パネル多孔（５１１）と共に梁締結具（２４０）が挿入されるための締結用の複数の孔である梁連結多孔（２４１）と、
前記梁連結多孔（２４１）に挿入される梁締結具（２４０）を組み立てるための作業工具を挿入するために設けられた孔である梁連結作業用大孔とを有することを特徴とする、請求項３に記載の柱及び梁のつなぎ合わせのための独立連結構造物。
【請求項５】
前記梁連結部（２４）は、
上端の開放された函体状をして連結構造物ボディ（２１）の側面に結合され、
梁（５０）が結合される部分には梁（５０）の一側が挿入されるように上下方向に長い通孔をなす挿入長孔（２４３）を有し、該挿入長孔（２４３）の下に段部を形成する挿入長孔梁結合構成；及び
梁（５０）の結合方向及び上端が開放される函体をなし、両側面に複数の締結用梁連結多孔（２４１）を有する側方多孔梁結合構成；のうちいずれか一つの結合構成からなることを特徴とする、請求項３に記載の柱及び梁のつなぎ合わせのための独立連結構造物。
【請求項６】
前記独立連結構造物は、
前記連結構造物ボディ（２１）の側方向に突出して所定の長さと幅をなす締結式梁連結部（２５）を備え、
連結構造物ボディ（２１）に締結及び分離可能に設けられ且つ連結構造物ボディ（２１）の側方向に備えられた締結式梁連結部（２５）に梁（５０）の梁パネル部（５１）が連結されて独立連結構造物の側方向に梁（５０）が結合されることを特徴とする、請求項１に記載の柱及び梁のつなぎ合わせのための独立連結構造物。
【請求項７】
前記連結構造物ボディ（２１）には、締結式梁連結部（２５）の本体締結延長部（２５２）が嵌合される複数の梁連結締結孔（２１５）が設けられ、
前記締結式梁連結部（２５）は、
前記梁連結締結孔（２１５）に挿入される複数の本体締結延長部（２５２）と、
複数の本体締結延長部（２５２）が連結された板状の締結連結ボディ（２５１）と、
前記締結連結ボディ（２５１）の内側に「コ」字状をなす空間であって梁（５０）が位置する締結梁定着孔（２５３）とを含むことを特徴とする、請求項６に記載の柱及び梁のつなぎ合わせのための独立連結構造物。
【請求項８】
前記独立連結構造物は、
函体状の連結構造物ボディ（２１）の内部にコンクリートモルタルを注入するためのモルタル注入管（２６１）と、
前記モルタル注入管（２６１）へのコンクリートモルタルの注入時に連結構造物ボディ（２１）内の空気を排出するための排気管（２６２）とを含むことを特徴とする、請求項１に記載の柱及び梁のつなぎ合わせのための独立連結構造物。
【請求項９】
請求項１〜８のいずれか一項に記載の独立連結構造物（２０）と、
前記独立連結構造物（２０）の上方側及び下方側の少なくとも一方に結合される柱（４０）と、
前記独立連結構造物（２０）の側方向に結合される梁（５０）とを含む建築物フレーム構造物であって、
前記独立連結構造物（２０）のボディである連結構造物ボディ（２１）の上方側及び下方側の少なくとも一つに函体状の柱連結パネル部（２３）が備えられ、柱（４０）の端部に函体状の柱パネル部（４１）が備えられ、柱連結パネル部（２３）の柱連結締結多孔（２３１）及び柱パネル部（４１）の柱締結多孔（４１１）に挿入される柱締結具（２３０）によって結合されることを特徴とする、柱及び梁のつなぎ合わせのための独立連結構造物を含む建築物フレーム構造物。
【請求項１０】
前記梁（５０）は、
幅よりも長さ方向に長い長さをなす長方形の梁ボディ（５２）と、
前記梁ボディ（５２）の内部で鉄心をなす梁鉄心（５２１）と、
前記梁鉄心（５２１）の端部に固定され、板体をなす梁ベース板（５３１）と、
前記梁ベース板（５３１）の縁部に連結され、梁鉄心（５２１）の周囲を取り囲み、コンクリートモルタルが内部に注入されるように梁モルタル注入孔（５３２）が設けられた梁連結函部（５３３）と、
前記梁ベース板（５３１）の外向き面に連結され、独立連結構造物（２０）の梁連結部（２４）に結合される函体状の梁パネル部（５１）とを含むことを特徴とする、請求項９に記載の柱及び梁のつなぎ合わせのための独立連結構造物を含む建築物フレーム構造物。
【発明の詳細な説明】
【技術分野】
【０００１】
本発明は、建設工事現場のラーメン構造物や壁式構造物、基礎工事の建設工事生産性を高めるためのプレキャストコンクリート構造物などを形成する方法に係り、さらに詳しくは、構造用鉄板または構造用形鋼を、高張力ボルトで組み立てることができるように工場で加工し、接合部材または構造部材に対して構造設計図面に基づく鉄筋配筋の添加作業を行った後、型枠を設置してコンクリートまたはモルタルを打設し、製品の要求強度が実現されるように養生して現場設置を容易にすることにより、各種接合部材及びプレキャストコンクリート構造物を形成する、柱及び梁のつなぎ合わせのための独立連結構造物に関する。
【背景技術】
【０００２】
一般に、建築物は、伝統的観点からみて、施工場所の床を平坦化して基礎構造物を設置した後、その上に鉄筋を一本ずつ配筋した後、型枠を作製し、型枠の内部にコンクリートを投入して養生することにより、建築物を施工する。
【０００３】
このような伝統的な建築物施工では、下層の施工時にコンクリート養生が完了して十分に固結すれば、上層に対して鉄筋配筋、型枠組立及びコンクリート打設などが行われる。
【０００４】
特に、数多くの鉄筋を配筋するために相当の期間がかかるうえ、建築構造物に合わせて型枠をいちいち形成する過程にも相当の期間がかかる。
【０００５】
それだけでなく、コンクリートモルタルを打設した後も、固結させる期間がかかるなど、一つの建築物施工において、伝統的な方式によれば、段階ごとに多くの時間がかかるので、建築物の全体施工に長い工期がかかるという欠点がある。
【０００６】
一方、柱や梁などに対しては毎回現場で製造及び完成の過程を経るので、柱や梁などに対する製品構造物の安全性について事前に確認することが困難であるため、たまに建築物施工の完了後に一般使用者が使用する途中で構造的問題点が現れることが発生する。つまり、柱や梁などの建築物に対する安全性を事前に確認し難いという問題点がある。
【０００７】
これを補完するために、別個の柱や梁などを製造するプレキャスト工法が適用されたりする。しかし、予め柱や梁などを製造するとしても、全体構造物をなす作業工程中に、柱や梁などを単純にコンクリート構造物のみで構成するようにし、柱や梁の両端からは内部の配筋された鉄筋が飛び出すようにするため、たとえ予め柱や梁を製造するとしても、安全性を確認するには不十分であるという欠点がある。
【０００８】
特に、このように柱や梁の両端から飛び出した鉄筋を互いに溶接や針金などのみで結ぶので、たとえプレキャスト技法で柱や梁を事前製造するとしても、相互連結部分が安定な結合状態を成し難いため、全体建築物の安全性を担保することは困難であるという問題点が発生する。
【先行技術文献】
【特許文献】
【０００９】
【特許文献１】韓国登録実用新案第２０−０３９３００６号公報
【特許文献２】韓国登録特許第１０−０５８３６８７号公報
【発明の概要】
【発明が解決しようとする課題】
【００１０】
本発明は、上述した問題点を解消するためのもので、その目的は、建設構造物を施工する現場で、既存のプレキャストコンクリート施工法の連結接合方法を改善し、在来施工方法である型枠工事、鉄筋工事、コンクリート打設工事、現場整理などに対する相対的に過多な施工コストを節減して施工する方法を提供することにある。
【００１１】
本発明の他の目的は、建設工事構造物の柱、基礎、梁、壁、スラブ、階段を規格化（モジュール化）して建設生産性を向上させるとともに、建設労働者の作業安全性を確保することにある。
【００１２】
本発明の別の目的は、鉄骨、鉄板形鋼を用いて建設工事の基礎、構造柱、構造梁、連結接合部材などの構造部材をプレキャストコンクリートとして製作し、現場で高張力ボルトによって組み立てる、或いは現場溶接で簡単施工できるようにすることにある。
【課題を解決するための手段】
【００１３】
上記の目的を達成するための本発明は、各種構造用鉄板、構造用形鋼を用いて連結接合部材や基礎、柱、壁体、スラブ、階段などをプレキャストコンクリート（ＰＣ）として製作し、建設構造物の接合連結部を既製の高張力ボルトを用いて組み立てる、或いは一部の現場溶接接合を行って構造物を形成するという特徴がある。
【００１４】
本発明の好適な実施例において、建築物の柱と結合される独立連結構造物を備えるが、前記独立連結構造物は、函体状の連結構造物ボディ２１と、前記連結構造物ボディ２１の一側または両側に位置する平板状の連結ベース板２２と、前記連結構造物ボディ２１に連結されるもので、前記連結ベース板２２の法線方向に連結され、複数の締結用柱連結締結多孔２３１が設けられる柱連結パネル部２３とを含み、前記柱連結パネル部２３が柱４０の柱パネル部４１と交差締結されて両側の柱連結締結多孔２３１及び柱締結多孔４１１に挿入されて締結される柱締結具２３０によって両側の柱連結パネル部２３と柱パネル部４１が結合されることを特徴とする、柱及び梁のつなぎ合わせのための独立連結構造物を提供する。
【００１５】
本発明の好適な実施例において、 前記柱連結パネル部２３は、前記柱連結締結多孔２３１に挿入される柱締結具２３０を組み立てるための作業工具を挿入するために設けられた孔である柱連結作業用大孔２３２を有することを特徴とする、柱及び梁のつなぎ合わせのための独立連結構造物を提供する。
【００１６】
本発明の好適な実施例において、前記連結構造物ボディ２１は、前記連結ベース板２２に対して柱連結パネル部２３の他側面に連結され、独立連結構造物に打設されるコンクリートモルタル（ｍｏｒｔａｒ）の鉄心をなす複数の鉄筋２１２と、前記連結ベース板２２に連結され、複数の鉄筋２１２を内部に含んで筒状をなす連結ボディパネル部２１１とを含み、前記連結ボディパネル部２１１は、コンクリートモルタルの注入時にコンクリートモルタルが通過するモルタル連結ボディ流路２１３を形成することを特徴とする、柱及び梁のつなぎ合わせのための独立連結構造物を提供する。
【００１７】
本発明の好適な実施例において、前記独立連結構造物は、前記連結構造物ボディ２１の側方向に突出して所定の長さ及び幅をなす梁連結部２４を備え、連結構造物ボディ２１の側方向に備えられた梁連結部２４と梁５０の梁パネル部５１とが連結されて独立連結構造物の側方向に梁５０が結合されることを特徴とする、柱及び梁のつなぎ合わせのための独立連結構造物を提供する。
【００１８】
本発明の好適な実施例において、前記梁連結部２４は、梁５０の梁パネル部５１に設けられた梁パネル多孔５１１と共に梁締結具２４０が挿入されるための締結用の複数の孔である梁連結多孔２４１と、前記梁連結多孔２４１に挿入される梁締結具２４０を組み立てるための作業工具を挿入するために設けられた孔である梁連結作業用大孔とを有することを特徴とする、柱及び梁のつなぎ合わせのための独立連結構造物を提供する。
【００１９】
本発明の好適な実施例において、前記梁連結部２４は、上端の開放された函体状をして連結構造物ボディ２１の側面に結合され、梁５０が結合される部分には梁５０の一側が挿入されるように上下方向に長い通孔をなす挿入長孔２４３を有し、該挿入長孔２４３の下に段部を形成する挿入長孔梁結合構成；及び梁５０の結合方向及び上端が開放される函体をなし、両側面に複数の締結用梁連結多孔２４１を有する側方多孔梁結合構成；のうちいずれか一つの結合構成からなることを特徴とする、柱及び梁のつなぎ合わせのための独立連結構造物を提供する。
【００２０】
本発明の好適な実施例において、前記独立連結構造物は、函体状の連結構造物ボディ２１の内部にコンクリートモルタルを注入するためのモルタル注入管２６１と、前記モルタル注入管２６１へのコンクリートモルタルの注入時に連結構造物ボディ２１内の空気を排出するための排気管２６２とを含むことを特徴とする、柱及び梁のつなぎ合わせのための独立連結構造物を提供する。
【００２１】
本発明の好適な実施例において、上記の独立連結構造物２０と、前記独立連結構造物２０の上方側及び下方側の少なくとも一方に結合される柱４０と、前記独立連結構造物２０の側方向に結合される梁５０とを含む建築物フレーム構造物であって、前記独立連結構造物２０のボディである連結構造物ボディ２１の上方側及び下方側の少なくとも一つに函体状の柱連結パネル部２３が備えられ、柱４０の端部に函体状の柱パネル部４１が備えられ、柱連結パネル部２３の柱連結締結多孔２３１及び柱パネル部４１の柱締結多孔４１１に挿入される柱締結具２３０によって結合されることを特徴とする、柱及び梁のつなぎ合わせのための独立連結構造物を含む建築物フレーム構造物を提供する。
【００２２】
本発明の好適な実施例において、前記梁５０は、幅よりも長さ方向に長い長さをなす長方形の梁ボディ５２と、前記梁ボディ５２の内部で鉄心をなす梁鉄心５２１と、前記梁鉄心５２１の端部に固定され、板体をなす梁ベース板５３１と、前記梁ベース板５３１の縁部に連結され、梁鉄心５２１の周囲を取り囲み、コンクリートモルタル（ｍｏｒｔａｒ）が内部に注入されるように梁モルタル注入孔５３２が設けられた梁連結函部５３３と、前記梁ベース板５３１の外向き面に連結され、独立連結構造物２０の梁連結部２４に結合される函体状の梁パネル部５１とを含むことを特徴とする、柱及び梁のつなぎ合わせのための独立連結構造物を含む建築物フレーム構造物を提供する。
【００２３】
本発明の好適な実施例において、前記独立連結構造物は、前記連結構造物ボディ２１の側方向に突出して所定の長さと幅をなす締結式梁連結部２５を備えるが、連結構造物ボディ２１に締結及び分離可能に設けられ且つ連結構造物ボディ２１の側方向に備えられた締結式梁連結部２５に梁５０の梁パネル部５１が連結されて独立連結構造物の側方向に梁５０が結合されることを特徴とする、柱及び梁のつなぎ合わせのための独立連結構造物を提供する。
【００２４】
本発明の好適な実施例において、前記連結構造物ボディ２１には、締結式梁連結部２５の本体締結延長部２５２が嵌合される複数の梁連結締結孔２１５が設けられ、前記締結式梁連結部２５は、前記梁連結締結孔２１５に挿入される複数の本体締結延長部２５２と、複数の本体締結延長部２５２が連結された板状の締結連結ボディ２５１と、前記締結連結ボディ２５１の内側に「コ」字状をなす空間であって梁５０が位置する締結梁定着孔２５３とを含むことを特徴とする、柱及び梁のつなぎ合わせのための独立連結構造物を提供する。
【発明の効果】
【００２５】
上述のように構成される本発明は、「鉄骨形鋼を用いたプレキャスト連結部材の製作及び鉄骨接合プレキャスト組立方法」に関するもので、建設現場の建設構造物のうち、基礎、柱、梁、スラブ、階段の各部材を、構造用形鋼或いは構造用鉄板を用いて高張力ボルトによる組立、現場溶接及びカスタム施工が容易となるように規格化（モジュール化）することにより、作業効率性の向上、労働者の作業に対する安全管理、仮設材費用の節減、工期短縮の効果を期待することができる。建設原価を、型骨組立て、鉄筋組立て、コンクリート打設の複雑な工程で形成する従来の建設構造物に比べて、著しく工事原価を節減する効果が得られる。また、製品の規格化（モジュール化）によって大量生産し易い効果があることを意味する。
【００２６】
つまり、本発明の他の効果は、建設工事構造物の柱、基礎、梁、壁、スラブ、階段を規格化（モジュール化）して建設生産性を向上させるとともに、建設労働者の作業安全性を確保することである。
【００２７】
また、本発明は、鉄骨、鉄板形鋼を用いて建設工事の基礎、構造柱、構造梁、連結接合部材を構成し、これらの建築構造部材をプレキャストコンクリートとして製作して現場で高張力ボルトによって組み立てる、或いは現場溶接で簡単に施工することができるという効果がある。
【図面の簡単な説明】
【００２８】
【図１】本発明に係る建築物フレーム構造物において、複数の柱及び梁などを独立連結構造物で結合して２層をなす構造物の実施例を示す斜視図である。
【図２】本発明に係る建築物フレーム構造物において、複数の柱及び梁などを独立連結構造物で結合して単一層をなす構造物の実施例を示す斜視図である。
【図３】本発明に係る建築物フレーム構造物において、複数の柱及び梁などを独立連結構造物で結合して５層をなす構造物の実施例を示す斜視図である。
【図４】本発明に係る建築物フレーム構造物の重要構成である独立連結構造物を示す斜視図である。
【図５】本発明に係る建築物フレーム構造物に対する柱及び独立連結構造物が分離された状態の分離斜視図である。
【図６】本発明に係る建築物フレーム構造物の梁を連結するための梁連結部が上方と外向きに開放され且つ函体状をなす側方多孔梁結合構成の梁連結部が備えられた独立連結構造物を示す斜視図であって、図６の（ａ）は「コ」字状の梁連結部が一方向にのみ設けられた実施例、（ｂ）は直角方向をなす２つの方向に梁連結部が設けられた実施例、（ｃ）は３つの方向に梁連結部が設けられた実施例をそれぞれ示す。
【図７】本発明に係る建築物フレーム構造物の梁を連結するための梁連結部が上方に開放され且つ外向きに梁の一側が結合される構造の函体状をなす挿入長孔梁結合構成の梁連結部が備えられた独立連結構造物を示す斜視図であって、図７の（ａ）は独立連結構造物の上下方向の柱連結パネル部の柱連結作業用大孔が円形をなす実施例、（ｂ）は独立連結構造物の上下方向の柱連結パネル部の柱連結作業用大孔が四角形をなす実施例、（ｃ）は独立連結構造物の上下方向に柱と結合するための棒状の連結部材が設けられた実施例をそれぞれ示す。
【図８】本発明に係る建築物フレーム構造物の梁を連結するための梁連結部が上方、外向き及び下方に開放され且つ下部に内向きに突出した梁係止段を形成した構造の函体状をなす側板結合構成の梁連結部が備えられた独立連結構造物を示す斜視図であって、図８の（ａ）は独立連結構造物の上下方向の柱連結パネル部の柱連結作業用大孔が円形をなす実施例、（ｂ）は独立連結構造物の上下方向の柱連結パネル部の柱連結作業用大孔が四角形をなす実施例、（ｃ）は独立連結構造物の上下方向に柱と結合するための棒状の連結部材が設けられた実施例をそれぞれ示す。
【図９】本発明に係る建築物フレーム構造物において、上下側柱と連結される独立連結構造物の柱連結パネル部を示す斜視図であって、図９の（ａ）は柱連結パネル部に設けられた柱連結作業用大孔が四角形をなす実施例、（ｂ）は柱連結パネル部に設けられた柱連結作業用大孔が円形をなす実施例をそれぞれ示す。
【図１０】本発明に係る建築物フレーム構造物の地盤に設置される基礎独立連結構造物を示す斜視図であって、 図１０の（ａ）は上側の柱４０に連結される柱連結パネル部２３が上方の開放された四角函体状をなし、地盤に挿入される連結構造物ボディ２１は四角の通孔を有する実施例、（ｂ）は上側の柱に連結される複数の棒構造物を成し、地盤に挿入される連結構造物ボディ２１は四角函体を形成した実施例、（ｃ）は地上の柱連結パネル部２３及び連結構造物ボディ２１などが四角函体を成し、四角の通孔を有する実施例をそれぞれ示す。
【図１１】本発明に係る建築物フレーム構造物の独立連結構造物の内部にコンクリートモルタルを注入するための注入管が備えられたもので、図１１の（ａ）は注入管が上方を向いて備えられた例を示し、（ｂ）は注入管が側方向を向いて備えられた例を示す。
【図１２】本発明に係る建築物フレーム構造物において、独立連結構造物によって上下に連結される柱を示す斜視図であって、図１２の（ａ）は上下側に連結のための柱パネル部が函体をなすが、円形の柱締結作業大孔を形成した実施例、（ｂ）は上下側に連結のための柱パネル部が棒で延長されて函体をなし、四角形状の通孔である柱締結作業大孔を形成した実施例、（ｃ）は上下側に連結のための柱パネル部が函体をなすが、四角形状の通孔である柱締締結作業大孔を形成した実施例、（ｄ）は複数の柱が単一の函体の柱連結パネル部に結合された実施例をそれぞれ示す。
【図１３】本発明に係る建築物フレーム構造物において、独立連結構造物に結合される梁を示す斜視図であって、図１３の（ａ）は薄い厚さを有する複数の梁の両側に板状の連結部材が設けられた実施例、（ｂ）は厚い厚さを有する単一梁の両側に、下方と外向きに開放された函体状の連結部材が設けられた実施例、（ｃ）は厚い厚さを有する単一梁の両側に板状の連結部材が設けられた実施例、（ｄ）は厚い厚さを有する単一梁の両側に、下方に長い長さの複数の板と、梁の上部から延長された支持膜とが設けられた実施例、（ｅ）は厚い厚さを有する単一梁の両側に、外向きに開放された函体状の連結部材が設けられた実施例をそれぞれ示す。
【図１４】本発明に係る建築物フレーム構造物において独立連結構造物に結合される梁の結合部分を示す斜視図であって、図１４の（ａ）は独立連結構造物に結合される梁パネル部が、外向きに開放された函体状をなす実施例、（ｂ）は独立連結構造物に結合される梁パネル部が、下方と外向きに開放された函体状をなす実施例、（ｃ）は独立連結構造物に結合される梁パネル部が、外向き及び上下方に開放された函体状をなす実施例をそれぞれ示す。
【図１５】本発明に係る建築物フレーム構造物において独立連結構造物に梁が結合された状態を示すもので、梁の連結部分が下方に長い長さの複数の板と、梁の上部から延長された支持膜とを備えて結合された状態を示す。
【図１６】本発明に係る建築物フレーム構造物において独立連結構造物に梁が結合された状態を示すもので、梁の連結部分が下方に長い長さの複数の板と、梁の上部から延長された支持膜を備えて結合された状態で、独立連結構造物と梁との連結部分が切欠きされた状態の例を示す。
【図１７】本発明に係る建築物フレーム構造物において両側の梁同士の間に複数の補強締結梁が連結された状態を示す結合例示図である。
【図１８】本発明に係る建築物フレーム構造物において柱と梁との間に設置される壁体の骨組を示す斜視図である。
【図１９】本発明に係る建築物フレーム構造物において柱と梁との間に設置される壁体を示すもので、複数の壁体を連結するために壁体骨組が連結された一実施例を示す例示図である。
【図２０】本発明に係る建築物フレーム構造物において柱と梁との間に設置される壁体を地盤に立てるための構造物に対する一実施例示図である。
【図２１】本発明に係る建築物フレーム構造物において柱と梁との間に設置される壁体を地盤に固定設置するための壁体地盤固定体を埋め立てる例を示す例示図である。
【図２２】本発明に係る建築物フレーム構造物において柱と梁との間に設置される壁体が複数に連結される例を示す例示図である。
【図２３】本発明に係る建築物フレーム構造物において柱と梁との間に設置される壁体の一側に「Ｌ」字状に連結するためのコーナー連結部材との結合に対する例示図である。
【図２４】本発明に係る建築物フレーム構造物において柱と梁との間に設置される壁体の一側に「Ｔ」字状に連結するための連結部材との結合に対する例示図である。
【図２５】本発明に係る建築物フレーム構造において柱と梁との間に設置される壁体の内部にコンクリートモルタルを注入するための注入管が備えられた壁体に対する例示図である。
【図２６】本発明に係る建築物フレーム構造において柱と梁との間に結合される独立連結構造物の側方向に梁を結合するための締結式梁連結部が連結構造物ボディに結合された状態の斜視図である。
【図２７】本発明に係る建築物フレーム構造において柱と梁との間に結合される独立連結構造物の連結構造物ボディの側方向に梁を結合するための締結式梁連結部が分離された状態の分解斜視図である。
【図２８】本発明に係る建築物フレーム構造物において独立連結構造物の連結構造物ボディに対して結合及び分離が可能な締結式梁連結部に梁が結合された状態の斜視図である。
【図２９】本発明に係る建築物フレーム構造物において独立連結構造物の連結構造物ボディに対して結合及び分離が可能な締結式梁連結部から梁が分離された状態の分解斜視図である。
【発明を実施するための形態】
【００２９】
以下、添付図面を参照して本発明を詳細に説明する。
【００３０】
本発明に係る柱４０及び梁５０のつなぎ合わせのための独立連結構造物２０、並びに柱４０、梁５０及び独立連結構造物２０を含んで施設される建築物フレーム構造物１０は、図１〜図２９などに示すように、建築物の柱４０、梁５０など、及び建築物の複数の部材に結合される独立連結構造物２０を含む建築構造物に関するものである。
【００３１】
つまり、建築物は、複数の柱４０で連結されて単層または多層をなすものであり、複数の柱４０同士の間を水平に梁５０が連結されることで、建築物の内部に空間を形成することになる。このように、建築物において柱４０及び梁５０などの骨組み構造物によって全体的に重量を支承し且つ揺れを防止するなど、全体的な建築物の構造を安定化させるのである。
【００３２】
また、壁体６０が間の各空間を塞ぐことにより建築物の室内空間を区分して、使用者の便利な使用を可能にする。
【００３３】
特に、本発明は、構造用鉄板或いは構造用形鋼を用いて柱４０、梁５０、壁体６０、及びこれらを連結するための独立連結構造物２０などを、プレキャストコンクリート構造物及び接合部位連結部材として予め製作して提供するため、全体の工期を短縮し、建築物の構造もより安定的に提供するものである。
【００３４】
よって、各部材間の結合を高力ボルト締めした後、セメント、コンクリート、モルタルなどをグラウトして施工することで、鉄骨、形鋼を用いたプレキャストコンクリート構造柱、構造梁、独立連結構造物、規格化プレキャストコンクリート壁体を製作するのである。
【００３５】
これらの部材に対して鉄板の加工または構造用形鋼などを１次加工して鉄骨埋め立てプレキャストコンクリート部材を事前製作して養生した後、建設現場で各接合部をボルト組み立て或いは現場溶接接合した後、必要部位に応じてセメント、コンクリート、モルタルなどでグラウトして鉄骨接合型プレキャストコンクリート構造物として建築物を提供する。
【００３６】
このため、本発明は、鉄板或いは構造用形鋼を連結部材と高張力ボルトを用いて組み立てて施工することができるように製作し、部材を組み立てて、必要な規格に合わせて柱、連結接合部材（独立連結構造物）、壁体、構造用梁、独立基礎（基礎独立連結構造物）を事前製造する。施工の際には、基礎部分を地盤に埋め立てた後、コンクリート（またはモルタル）を注ぎ込んでコンクリート（またはモルタル）を必要強度まで養生する。このような基礎施工の後、建設現場に必要な柱、連結接合部材、壁体、構造用梁、独立基礎を製造工場などで生産し、建設現場に運搬し、現場で組立接合施工し、各部材の接合部のみコンクリート或いは各種モルタル（無収縮、速硬、特殊モルタル）をグラウトして建設構造物を完成するのである。
【００３７】
このような本発明に係る構成により建築物を構築するために基礎骨組みとなる建築物フレーム構造物１０に対して、図１〜図３に示すように、複数の柱４０と梁５０などが連結された状態を提供し、これらの柱４０と梁５０などが互いに独立連結構造物２０に連結されることを示す。
【００３８】
すなわち、本発明に係る建築物フレーム構造物１０における柱４０と梁５０などを結合する独立連結構造物２０を備えるのである。このような独立連結構造物２０に対する詳細な構成をまず考察する。
【００３９】
このため、前記独立連結構造物２０は、基本的なボディとして、函体状の連結構造物ボディ２１を備える。
【００４０】
そして、図４、図６乃至図１１などに示すように、函体状の連結構造物ボディ２１の内部と外部はコンクリートモルタルによって予めコンクリート構造物をなして準備したものであって、プレキャストコンクリートとして設けられる独立連結構造物２０のボディを成す。
【００４１】
このような連結構造物ボディ２１の上下面、及び１つ以上の側面に様々な付随的構成がさらに設けられてもよい。
【００４２】
つまり、前記連結構造物ボディ２１の一側または両側に平板状の連結ベース板２２が設けられる。このような連結ベース板２２は、連結構造物ボディ２１の両側に結合されて全体的に連結構造物ボディが函体状をなすようにし、注入されるコンクリートモルタルが成形される間に形態を維持するようにする。
【００４３】
前記独立連結構造物２０は、前記連結ベース板２２の法線方向に連結され且つ複数の締結用柱連結締結多孔２３１が設けられる柱連結パネル部２３を含む。
【００４４】
このような前記柱連結パネル部２３は柱４０の柱パネル部４１と交差締結される。そして、柱連結パネル部２３及び柱パネル部４１の両側の柱連結締結多孔２３１及び柱締結多孔４１１に挿入されて締結される柱締結具２３０によって、両側の柱連結パネル部２３と柱パネル部４１とが結合される。
【００４５】
つまり、図４〜図１０などに示すように、独立連結構造物２０の上下に備えられた柱連結パネル部２３は薄い板体状のパネルが複数備えられて函体状をなすものであり、このような柱連結パネル部２３には複数の孔である柱連結締結多孔２３１が設けられる。
【００４６】
このため、図４は本発明に係る建築物フレーム構造物１０の重要構成である独立連結構造物２０を示す斜視図であり、図５は本発明に係る建築物フレーム構造物１０に対する柱４０及び独立連結構造物２０などが分離された状態を示す分離斜視図である。
【００４７】
図９は本発明に係る建築物フレーム構造物１０において上下側柱４０に連結される独立連結構造物２０の柱連結パネル部２３を示す斜視図であって、図９の（ａ）は柱連結パネル部２３に設けられた柱連結作業用大孔２３２が四角形状をなす実施例、（ｂ）は柱連結パネル部２３に設けられた柱連結作業用大孔２３２が円形形状をなす実施例をそれぞれ示す。
【００４８】
これに加えて、図１２は本発明に係る建築物フレーム構造物１０において独立連結構造物２０によって上下に連結される柱４０を示す斜視図であって、図１２の（ａ）は上下側に連結のための柱パネル部４１が函体をなすが、円形の柱締結作業大孔４１２を形成した実施例、図１２の（ｂ）は上下側に連結のための柱パネル部４１が棒によって延長されて函体を成し、四角形状の通孔である柱締結作業大孔４１２を形成した実施例、図１２の（ｃ）は上下側に連結のための柱パネル部４１が函体を成し、四角形状の通孔である柱締結作業大孔４１２を形成した実施例、図１２の（ｄ）は複数の柱が単一の函体の柱連結パネル部４１に結合された実施例をそれぞれ示す。
【００４９】
また、函体形状の柱連結パネル部２３に結合される各柱４０の端部に設けられた函体形状の柱パネル部４１も、薄い板体状のパネルが複数備えられて函体形状をなすものであり、柱パネル部４１にも複数の孔である柱締結多孔４１１が設けられる。
【００５０】
そのため、柱連結パネル部２３と柱パネル部４１は、その大きさを互いに異ならせて、いずれか一方の内側にもう一方が挿入されることにより、両側の柱連結締結多孔２３１、柱締結多孔４１１などが互いに合致した状態で、柱締結具２３０を挿入して締結する。このような柱連結締結多孔２３１、柱締結多孔４１１などが複数設けられ、複数の柱締結具２３０で結合された状態を持つため、各柱４０と独立連結構造物２０とは互いに結合された状態を堅固に維持することにより、建築物全体の安全性が著しくなるのである。
【００５１】
これに対し、このような各柱４０及び独立連結構造物２０は、プレキャストコンクリート製造技法で予め別個の製造工場で事前製造した状態で事前準備したものである。建築物施設の敷地に、予めプレキャストコンクリート製造技法で製造された柱４０及び独立連結構造物２０を供給して、互いに組み立てることにより簡単に建築物フレーム構造物１０をなすため、全体建築物施設の工期を短縮することができるだけでなく、施設された建築物も安定性を向上させるという利点を有する。
【００５２】
また、このような柱４０と独立連結構造物２０とを結合する過程を容易にするために、前記柱連結パネル部２３は、前記柱連結締結多孔２３１に挿入される柱締結具２３０を組み立てるための作業工具を挿入するために設けられた孔である柱連結作業用大孔２３２を有する。
【００５３】
また、このような柱連結作業用大孔２３２と同様に、柱４０においても柱締結作業大孔４１２を設けることにより、柱連結パネル部２３と柱パネル部４１とが挿入によって結合された状態で柱連結作業用大孔２３２及び柱締結作業大孔４１２も互いに合致した位置にあり、これにより作業者は作業工具（図示せず）を入れて容易に柱締結具２３０を締結することができるのである。
【００５４】
図４、図６などでは円形の柱連結作業用大孔２３２が設けられており、図７の（ｂ）、図８の（ｂ）などでは四角形の柱連結作業用大孔２３２が設けられている。このように、柱連結作業用大孔２３２及び柱締結作業大孔４１２などの大きさや形状などは、建築物の実施状況に応じて定められて実施できる。
【００５５】
前記連結構造物ボディ２１は、添付図面の例のように、前記連結ベース板２２に対して柱連結パネル部２３の他側面が連結される。
【００５６】
また、前記連結構造物ボディ２１は、独立連結構造物に打設されるコンクリートモルタル（ｍｏｒｔａｒ）の鉄心をなす複数の鉄筋２１２を含むことにより、コンクリート構造物としての堅固な構造を成すようにする。
【００５７】
さらに、 前記連結構造物ボディ２１は、前記連結ベース板２２に連結され且つ複数の鉄筋２１２を内部に含んで筒状をなす連結ボディパネル部２１１を含む。
【００５８】
このような前記連結ボディパネル部２１１は、図４の例の如く、コンクリートモルタルの注入時にコンクリートモルタルが通過するモルタル連結ボディ流路２１３を形成するものであり、このようなモルタル連結ボディ流路２１３は、円形、四角形などの様々な形状の通孔からなってもよい。
【００５９】
これにより、建築物は、複数の柱４０、梁５０、及びこれらを連結する複数の独立連結構造物２０などが結合されて全体的な建築物フレーム構造物１０を成すのである。各部材の締結組立によって建築物フレーム構造物１０を成した状態で、独立連結構造物２０、柱４０及び梁５０などのそれぞれの連結パネル部と締結具などが外部に露出せず、コンクリート内に含まれるようにコンクリートモルタルの打設過程を行う。このため、独立連結構造物２０の連結構造ボディ２１、柱連結パネル部２３などの函体状の内部空間にもコンクリートモルタルを注入して打設する。
【００６０】
このために、図１１の例の如く、前記独立連結構造物２０は、函体状の連結構造物ボディ２１の内部にコンクリートモルタルを注入するためのモルタル注入管２６１を備える。これにより、見えない内部空間にもコンクリートモルタルの注入が可能であって、堅固な建築構造物を形成することになる。
【００６１】
また、前記モルタル注入管２６１へのコンクリートモルタルの注入時に連結構造物ボディ２１内の空気を排出するための排気管２６２を含む。すなわち、モルタル注入管２６１へのコンクリートモルタルの注入中に、独立連結構造物２０の内部空間にあった空気が完全に抜けなければ、その分だけ建築物の耐久性に問題が発生するおそれがある。よって、コンクリートモルタルの注入時に内部の空気が抜けるようにして、丈夫で安定性が向上した建築物を提供する。
【００６２】
図１１は本発明に係る建築物フレーム構造物１０の独立連結構造物２０の内部にコンクリートモルタルを注入するためのモルタル注入管２６１と排気管２６２が備えられたことを示すもので、図１１の（ａ）はモルタル注入管２６１と排気管２６２などが上方を向いて備えられた例を示し、図１１の（ｂ）はモルタル注入管２６１と排気管２６２などが側方向を向いて備えられた例を示す。
【００６３】
このような独立連結構造物２０の一種類として、ボディである連結構造物ボディ２１が地盤内に施設されて地盤に固定され且つ上部に柱４０が結合される基礎独立連結構造物３０が設けられる。すなわち、図１０の例の如く、連結構造物ボディ２１は、地盤に施設され、地盤の基礎に埋設される複数の鉄筋が通ってコンクリートと共に成形されるものであり、このような鉄筋が通って結合される配筋締結通孔３１を有する。
【００６４】
連結構造物ボディ２１の上部には、他の柱４０との締結のための柱連結パネル部２３が設けられる。このため、このような基礎独立連結構造物３０の上部に柱４０が結合されることにより、建築物の基礎柱を形成する。
【００６５】
図１０は本発明に係る建築物フレーム構造物１０の地盤に設置される基礎独立連結構造物３０の斜視図であり、図１０の（ａ）は上側の柱４０に連結される柱連結パネル部２３が上方の開放された四角函体状をなし、地盤に挿入される連結構造物ボディ２１は四角の通孔を有する実施例、図１０の（ｂ）は上側の柱に連結される複数の棒構造物を成し、地盤に挿入される連結構造物ボディ２１は四角函体を形成した実施例、図１０の（ｃ）は地上の柱連結パネル部２３及び連結構造物ボディ２１などが四角函体を成し、四角の通孔を有する実施例をそれぞれ示す。
【００６６】
前記独立連結構造物２０は、前記連結構造物ボディ２１の側方向に突出して所定の長さと幅をなす梁連結部２４を備える。
【００６７】
連結構造物ボディ２１の側方向に備えられた梁連結部２４と梁５０の梁パネル部５１とが連結され、独立連結構造物の側方向に梁５０が結合されるのである。
【００６８】
このような前記梁連結部２４は、図６〜図８などの例のように、梁５０の梁パネル部５１に設けられた梁パネル多孔５１１と共に梁締結具２４０が挿入されるための締結用の複数の孔である梁連結多孔２４１を備える。
【００６９】
前記前記梁連結多孔２４１に挿入される梁締結具２４０を組み立てるための作業工具を挿入するために、梁連結作業用大孔が設けられてもよい。よって、作業者は、梁連結作業用大孔を介して梁締結具２４０を挿入して、独立連結構造物２０と梁５０などを安定的かつ容易に締結することができる。
【００７０】
このような独立連結構造物２０の梁連結部２４と結合される梁５０は、梁連結部２４に締結される梁パネル部５１を備えたもので、梁パネル部５１は、図１３、図１４などに示すように、多孔の梁パネル多孔５１１が設けられた薄い板体からなる。梁パネル部５１は、函体を成すか、或いは両側の薄いパネルからなる。
【００７１】
必要に応じて、図１４の（ａ）、（ｂ）などのように、梁パネル部５１の上部に、作業のための通孔である梁パネル作業大孔５１２が設けられる。
【００７２】
次に、このように設けられる独立連結構造物２０と梁５０との締結構成について説明する。
【００７３】
つまり、独立連結構造物２０において、前記梁連結部２４は、上方の開放された函体状をなして連結構造物ボディ２１の側面に結合される。すなわち、図４〜図１０などの例のように、独立連結構造物２０の上下方向には柱４０との結合のための柱連結パネル部２３が設けられ、側方向には梁５０との結合のための梁連結部２４が設けられる。
【００７４】
梁連結部２４に対する例として、図７の例のように、梁５０が結合される部分には、梁５０の一側が挿入されるようにするために、上下方向に長い孔をなす挿入長孔２４３が設けられ、挿入長孔２４３の下に段部を形成する挿入長孔梁結合構成が設けられる。
【００７５】
すなわち、図７の例を見ると、本発明に係る建築物フレーム構造物１０の梁５０を連結するための梁連結部２４の一実施例として、上部が開放され且つ外向きに梁の一側が結合される構造の函体状をなす挿入長孔梁結合構成の梁連結部２４が備えられた独立連結構造物２０に対する斜視図が示されている。
【００７６】
図７の（ａ）は独立連結構造物２０の上下方向の柱連結パネル部２３の柱連結作業用大孔２３１が円形をなす実施例、図７の（ｂ）は独立連結構造物２０の上下方向の柱連結パネル部２３の柱連結作業用大孔２３１が四角をなす実施例、図７の（ｃ）は独立連結構造物２０の上下方向に柱４０と結合するための棒状の連結部材が設けられた実施例をそれぞれ示す。
【００７７】
このような挿入長孔梁結合構成により梁５０に連結された状態を示す図１５、図１６の例のように、梁５０の連結部分が下方に長い長さの複数の板と、梁の上部から延長された支持膜とを備えた梁パネル部５１を有する梁５０が独立連結構造物２０に結合されるのである。このような図１５、図１６などでは、独立連結構造物２０の梁連結部２４における挿入長孔２４３と梁５０の梁パネル部５１などにおける複数の板などが凹凸の形で雌雄を形成するようにして、互いに嵌合することによりプレキャストコンクリート構造物を形成したのである。このような凹凸形状の結合をした部分に対しては、連結接合した接合部を炭素繊維やアラミド繊維などで補強し、エポキシを含浸させて緊結する方法が適用できる。
【００７８】
すなわち、挿入長孔梁結合構成の実施例では、梁の複数の板が梁連結部２４の挿入長孔２４３に挿入され、挿入長孔２４３の上部に突出した部分は、梁５０の上部から延長された支持膜の下に当接するようになり、梁連結部２４が梁５０の荷重を支持する構造を成すのである。
【００７９】
図１５は本発明に係る建築物フレーム構造物１０において独立連結構造物２０に梁５０が結合された状態を示すもので、梁５０の連結部分が下方に長い長さの複数の板と、梁の上部から延長された支持膜とを備えて結合された状態を示す。
【００８０】
図１６は本発明に係る建築物フレーム構造物１０において独立連結構造物２０に梁５０が結合された状態を示すもので、梁５０の連結部分が下方に長い長さの複数の板と、梁の上部から延長された支持膜とを備えて結合された状態で、独立連結構造物２０及び梁５０の連結部分が切欠きされた状態の例を示すものである。
【００８１】
次に、図６の例のように、独立連結構造物２０の梁連結部２４に対して、梁５０の結合方向及び上方に開放される函体をなし、両側面に複数の締結用梁連結多孔２４１が設けられる側方多孔梁結合構成の実施例をなす。
【００８２】
すなわち、図６に示すように、本発明に係る建築物フレーム構造物１０の梁５０を連結するための梁連結部２４が上方及び外向きに開放された函体状をなす側方多孔梁結合構成の梁連結部２４が備えられた独立連結構造物２０に対する斜視図が示されている。
【００８３】
図６の（ａ）は「コ」字状の梁連結部２４が独立連結構造物２０の一方向にのみ備えられた実施例、図６の（ｂ）は梁連結部２４が独立連結構造物２０において直角方向をなす二つの方向に梁連結部が設けられた実施例、図６の（ｃ）は独立連結構造物２０において三方向に梁連結部２４が設けられた実施例をそれぞれ示すものである。
【００８４】
このような側方多孔梁結合構成の梁連結部２４と梁５０とが結合されることについて、図６の（ａ）に示すように、複数の梁締結具２４０によって結合された状態を有するものであり、柱４０と同様に、全体的に梁５０、柱４０及び独立連結構造物２０が結合され、各連結部分に対してコンクリートモルタルが打設されることにより、全体の建築物フレーム構造物１０を成す。
【００８５】
次に、他の実施例に係る梁５０との結合のための梁連結部２４に対するもので、図８は本発明に係る建築物フレーム構造物１０の梁５０を連結するための梁連結部２４を示すものであり、このような梁連結部２４が、上方、外向き及び下方に開放され且つ下部に内向きに突出した梁係止段２４４を形成した構造の函体状をなす側板結合構成の梁連結部２４が設けられ、このような側板結合構造の梁連結部２４が備えられた独立連結構造物２０に対する斜視図を示している。
【００８６】
図８の（ａ）は独立連結構造物２０の上下方向の柱連結パネル部２３の柱連結作業用大孔２３２が円形をなす実施例を示すものであり、図８の（ｂ）は独立連結構造物２０の上下方向の柱連結パネル部２３の柱連結作業用大孔２３２が四角をなす実施例を示すものであり、図８の（ｃ）は独立連結構造物２０の上下方向に柱と結合するための棒状の連結部材が設けられた実施例を示すものである。
【００８７】
このように、図８に示すように設けられた側板結合構成の梁連結部２４は、下の内向きに突出した梁係止段２４４に梁５０の梁パネル部５１の下部が係止され、梁締結具２４０によって堅固に組み立てられた状態をなす。その後、梁５０と独立連結構造物２０とが連結された部分に対して、コンクリートモルタルの打設によって堅固な構造物を成すのである。
【００８８】
しかも、本発明に係る独立連結構造物２０は、図２６乃至図２９などの例のように、連結構造物ボディ２１に梁５０を連結するための締結及び分離が可能な連結部材をさらに備えることができる。
【００８９】
すなわち、このような前記独立連結構造物２０には、前記連結構造物ボディ２１の側方向に突出して所定の長さと幅をなす締結式梁連結部２５を備えるが、連結構造物ボディ２１に対して締結及び分離可能に備える。
【００９０】
これにより、連結構造物ボディ２１の側方向に備えられた締結式梁連結部２５に梁５０の梁パネル部５１が連結されて独立連結構造物の側方向に梁５０が結合される。
【００９１】
これに関連して、前記連結構造物ボディ２１には、締結式梁連結部２５の本体締結延長部２５２が嵌合される複数の梁連結締結孔２１５が設けられる。
【００９２】
また、前記締結式梁連結部２５には、前記梁連結締結孔２１５に挿入される複数の本体締結延長部２５２が設けられる。これにより、図２７のように、連結構造物ボディ２１の梁連結締結孔２１５に本体締結延長部２５２を嵌合することができる。
【００９３】
さらに、前記締結式梁連結部２５には、このような複数の本体締結延長部２５２が連結された板状の締結連結ボディ２５１が設けられる。
【００９４】
また、 前記締結式梁連結部２５は、前記締結連結ボディ２５１の内側に「コ」字状をなす空間である締結梁定着孔２５３を含む。このような「コ」字状をなす空間である締結梁定着孔２５３に梁５０が位置するのである。
【００９５】
上述したような本発明に係る独立連結構造物２０は、複数の柱４０や梁５０などを結合する。
【００９６】
つまり、前記独立連結構造物２０の上方側及び下方側の少なくとも一方に結合される柱４０を含んで建築物フレーム構造物１０をなすのである。
【００９７】
前記独立連結構造物２０の側方向に結合される梁５０を含んで建築物の建築物フレーム構造物１０をなすのである。
【００９８】
このために、前記独立連結構造物２０のボディである連結構造物ボディ２１に対して上方及び下方の少なくとも一つに函体状の柱連結パネル部２３が備えられ、柱４０の端部に函体状の柱パネル部４１が備えられる。これにより、柱連結パネル部２３の柱連結締結多孔２３１及び柱パネル部４１の柱締結多孔４１１に挿入される柱締結具２３０によって結合される。
【００９９】
このような前記梁５０においても、柱４０または独立連結構造物２０と同様に、別個の製造場所で鉄骨接合及びボディに対するコンクリートモルタルの打設を介してプレキャストコンクリート部材として事前製造するのである。
【０１００】
このように製造された柱４０、梁５０と独立連結構造物２０などは、建築物施設場所で最終的に組み立てられ、連結部分へのコンクリートモルタルの打設によって全体の建物物フレーム構造物１０を成す。
【０１０１】
梁５０、柱４０及び独立連結構造物２０などは、ボディ部分に複数の鉄筋が配筋され、複数の金属板が溶接やボルトなどで堅固な内部構造を成した状態で備えられ、このような金属板などに複数配筋された鉄筋が溶接などで固定された状態で、ボディに対するコンクリート打設で堅固なボディを形成する。このような状態で、予め事前製作されたプレキャストコンクリート柱、梁及び独立連結構造物として予め製造された状態を有する。
【０１０２】
特に梁５０や柱４０などの長尺な部材の場合、建築物の形態や形状、全体サイズなどによって長さが異なるので、梁５０、柱４０などが独立連結構造物２０と結合される縁部のみ予め製造した状態で、残りのボディに対する鉄筋の配筋やコンクリート打設などは、出荷に合わせて後作業で行うことができる。
【０１０３】
このため、梁５０や柱４０などに対して、独立連結構造物２０と結合される両側端の連結部分のみをまず製造することができる。
【０１０４】
この中でも、梁５０に対する連結構造を図１４に基づいて考察する。
【０１０５】
すなわち、図１４の例のように、梁５０の両側端部には、独立連結構造物２０との結合のために梁パネル部５１を設ける。
【０１０６】
梁５０は、ボディとして、幅よりも長さ方向に長い長さを有する長方形の梁ボディ５２を備える。
【０１０７】
そして、前記梁ボディ５２の内部で鉄心をなす梁鉄心５２１を備える。
【０１０８】
このような梁ボディ５２の両側端部は、梁鉄心５２１に連結される梁パネル部５１を備える。
【０１０９】
そして、前記梁鉄心５２１の先端部に固定され且つ板体をなす梁ベース板５３１が設けられる。
【０１１０】
これに加えて、前記梁ベース板５３１の縁部に連結され、梁鉄心５２１の周囲を囲みながらコンクリートモルタル（ｍｏｒｔａｒ）が内部に注入されるように梁モルタル注入孔５３２を有する梁連結函部５３３が備えられる。
【０１１１】
さらに、前記梁ベース板５３１の外向き面に連結され、独立連結構造物２０の梁連結部２４と結合される函体状の梁パネル部５１を含む。
【０１１２】
このような梁５０に対する例を示す図１４には、本発明に係る建築物フレーム構造物１０において独立連結構造物２０に結合される梁５０の結合部分を示す斜視図であって、図１４の（ａ）は独立連結構造物２０と結合される梁パネル部４１が外向きに開放された函体状をなす実施例、図１４の（ｂ）は独立連結構造物２０と結合される梁パネル部４１が下方と外向きに開放された函体状をなす実施例、図１４の（ｃ）は独立連結構造物２０と結合される梁パネル部４１が外向き及び上下方に開放された函体状をなす実施例をそれぞれ示す。
【０１１３】
次に、このように設けられた本発明における梁５０に対する様々な実施例を図１３に基づいて考察する。
【０１１４】
すなわち、図１３は本発明に係る建築物フレーム構造物１０において独立連結構造物２０に結合される梁を示す斜視図であって、 図１３の（ａ）は薄い厚さを有する複数の梁の両側に板状の連結部材が設けられた実施例、（ｂ）は厚い厚さを有する単一梁の両側に、下方と外向きに開放された函体状の連結部材が設けられた実施例、（ｃ）は厚い厚さを有する単一梁の両側に板状の連結部材が設けられた実施例、（ｄ）は厚い厚さを有する単一梁の両側に、下方に長い長さの複数の板と、梁の上部から延長された支持膜とが設けられた実施例、（ｅ）は厚い厚さを有する単一梁の両側に、外向きに開放された函体状の連結部材が設けられた実施例をそれぞれ示す。
【０１１５】
また、図１７は本発明に係る建築物フレーム構造物１０において両側の梁５０同士の間に複数の補強締結梁５５が連結された状態を示す結合例示図である。すなわち、梁５０によって連結される空間があまりにも大きく形成されるか、或いは、建築物構造上、補強締結梁５５が位置した部分の荷重分散が必要な場合、複数の補強締結梁５５がメインの梁５０に結合されるように実施でき、これにより全体的な建築物の構造安全性を向上させるのである。
【０１１６】
上述したような本発明に係る柱４０及び梁５０のつなぎ合わせのための独立連結構造物２０、及びこのような独立連結構造物２０と共に柱４０、梁５０などが結合されて一つの全体的な建築物フレーム構造物１０をなす例を説明した。
【０１１７】
このような建築物フレーム構造物１０に対する実施例を考察すると、図１は、本発明に係る建築物フレーム構造物１０において、複数の柱４０及び梁５０などを独立連結構造物２０で結合して２つの層をなす構造物の実施例を示す斜視図である。
【０１１８】
図２は本発明に係る建築物フレーム構造物１０において、複数の柱４０及び梁５０などを独立連結構造物２０で結合して単一層をなす構造物の実施例を示す斜視図である。
【０１１９】
また、図３は本発明に係る建築物フレーム構造物１０において、複数の柱４０及び梁５０などを独立連結構造物２０で結合して５つの層をなす構造物の実施例を示す斜視図である。
【０１２０】
このような柱４０、梁５０及び独立連結構造物２０などは、予めプレキャストコンクリート部材として事前製作して設け、建築物施設場所で各連結部材を用いて組み立てて１つの全体的な建築物フレーム構造物１０をなす。
【０１２１】
これにより、予め設計されたところにより、フレームである柱と梁などを殆ど事前製作し、建設現場では単純な組立工程のみを行い、全体的な建築物の建設を容易にしながら、その分だけ工期も短縮するという利点を有する。
【０１２２】
次に、上述のようにプレキャストコンクリート構造物としての、柱４０、梁５０、及びこれらを連結するための独立連結構造物２０などが互いに組み立てられて建築物フレーム構造物１０をなし、さらにプレキャストコンクリート構造物として壁体６０を予め製造した後、建設現場で組み立てられて施工されるように備えることができる。
【０１２３】
次に、このような壁体６０について、図１８〜図２５などを参照して説明する。
【０１２４】
このような壁体６０も、前述した柱４０、梁５０及び独立連結構造物２０などの例のように、内部に複数の鉄筋が配筋され、梁５０、柱４０、独立連結構造物２０及び地盤に固定されるようにする壁体の連結部材を設け、このような壁体の連結部材と複数配筋される鉄筋などが溶接などで固定された後、プレキャストとしてコンクリート構造物を形成して予め事前準備する。
【０１２５】
図１８は本発明に係る建築物フレーム構造物１０において柱４０と梁５０との間に設置される壁体６０の骨組を示す斜視図であり、図１９は本発明に係る建築物フレーム構造物１０において柱４０と梁５０との間に設置される壁体６０に対するもので、複数の壁体６０を連結するために壁体骨組６１が連結された一実施例を示す例示図である。
【０１２６】
すなわち、壁体６０は地盤に固定するための壁体地盤固定体７１に結合される締結部材が壁体骨組６１に固定された状態をなし、型枠などの内部へのコンクリート打設により全体壁体６０を形成する。
【０１２７】
図２０は本発明に係る建築物フレーム構造物１０において柱４０と梁５０との間に設置される壁体６０を地盤に立てるための構造物に対する一実施例示図であり、図２１は本発明に係る建築物フレーム構造物１０において柱４０と梁５０との間に設置される壁体６０を地盤に固定設置するための壁体地盤固定体７１を埋め立てる例を示す例示図である。このような壁体地盤固定体７１は、別個の固定体間隔調節部材７２を利用すれば、簡単に地盤に所定の位置に合わせて施設することができる。
【０１２８】
複数の壁体を互いに連結するための連結部材が壁体６０の両側方向や上下方向などに設けられて壁体骨組６１に連結される構造をなす。
【０１２９】
図２２は本発明に係る建築物フレーム構造物１０において柱４０と梁５０との間に設置される壁体６０が複数連結される例示図である。図２２では壁体６０同士が「＋」字型の壁体連結部材によって連結されることを示している。
【０１３０】
また、図２３は本発明に係る建築物フレーム構造物１０において柱４０と梁５０との間に設置される壁体６０の一側に「Ｌ」字状に連結するためのコーナー連結部材（「Ｌ」字状のコーナー壁体連結部材）との結合に対する例示図であり、図２４は本発明に係る建築物フレーム構造物１０において柱４０と梁５０との間に設置される壁体６０の一側に「Ｔ」字状に連結するための連結部材（「Ｔ」字状の壁体連結部材）との結合に対する例示図である。
【０１３１】
また、図２５は本発明に係る建築物フレーム構造物１０において柱４０と梁５０との間に設置される壁体６０の内部にコンクリートモルタルを注入するための壁体注入管６２が備えられた壁体６０に対する例示図である。
【０１３２】
図２５に示すように、壁体６０は複数に積層される構造で施設でき、複数に積層された壁体６０は互いに結合される部分に設けられた壁体締結部によって堅固に組み立てられた状態を持つ。
【０１３３】
以上、本発明の実施例について詳細に説明したが、これは本発明の属する技術分野における通常の知識を有する者が本発明を容易に実施することができるように一実施例を記載したものである。よって、前記実施例の記載によって本発明の技術的思想を制限的に解釈してはならない。
【符号の説明】
【０１３４】
１０    建築物フレーム構造物
２０    独立連結構造物
２１    連結構造物ボディ
２３    柱連結パネル部
２４    梁連結部
３０    基礎独立連結構造物
４０    柱
５０    梁
６０    壁体
【図１】
0006277532.tif 000002
【図２】
0006277532.tif 000003
【図３】
0006277532.tif 000004
【図４】
0006277532.tif 000005
【図５】
0006277532.tif 000006
【図６】
0006277532.tif 000007
【図７】
0006277532.tif 000008
【図８】
0006277532.tif 000009
【図９】
0006277532.tif 000010
【図１０】
0006277532.tif 000011
【図１１】
0006277532.tif 000012
【図１２】
0006277532.tif 000013
【図１３】
0006277532.tif 000014
【図１４】
0006277532.tif 000015
【図１５】
0006277532.tif 000016
【図１６】
0006277532.tif 000017
【図１７】
0006277532.tif 000018
【図１８】
0006277532.tif 000019
【図１９】
0006277532.tif 000020
【図２０】
0006277532.tif 000021
【図２１】
0006277532.tif 000022
【図２２】
0006277532.tif 000023
【図２３】
0006277532.tif 000024
【図２４】
0006277532.tif 000025
【図２５】
0006277532.tif 000026
【図２６】
0006277532.tif 000027
【図２７】
0006277532.tif 000028
【図２８】
0006277532.tif 000029
【図２９】
0006277532.tif 000030